【手続補正書】
【提出日】平成17年7月28日(2005.7.28)
【手続補正１】
【補正対象書類名】明細書
【補正対象項目名】発明の名称
【補正方法】変更
【補正の内容】
【発明の名称】携帯端末装置
【手続補正２】
【補正対象書類名】明細書
【補正対象項目名】特許請求の範囲
【補正方法】変更
【補正の内容】
【特許請求の範囲】
【請求項１】
電子情報を処理する情報処理手段と、
電子情報を記憶する記憶手段と、
前記記憶手段に、貨幣情報を記憶する貨幣情報記憶手段を生成する生成手段と、
所定の秘密情報を提供する提供サーバ装置に接続し、前記提供サーバ装置から前記秘密情報を受信する秘密情報受信手段と、
前記記憶手段に、前記情報処理手段に貨幣情報処理を実行させるための貨幣情報処理プログラムと、前記受信した秘密情報を組み込む組み込み手段と、
を具備し、
前記貨幣情報処理プログラムは、
前記秘密情報受信手段が前記秘密情報を受信した後、前記組み込んだ秘密情報を用いて、所定の端末装置、又は所定のサーバ装置から受信した、金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置。
【請求項２】
電子情報を処理する情報処理手段と、電子情報を記憶する記憶手段と、を備えた情報処理装置を接続する接続手段と、
前記接続した情報処理装置の記憶手段に、貨幣情報を記憶する貨幣情報記憶手段を生成する生成手段と、
所定の秘密情報を提供する提供サーバ装置に接続し、前記提供サーバ装置から前記秘密情報を受信する秘密情報受信手段と、
前記情報処理手段に貨幣情報処理を実行させるための貨幣情報処理プログラムと、前記受信した秘密情報を、前記接続した情報処理装置の記憶手段に組み込む組み込み手段と、
を具備し、
前記貨幣情報処理プログラムは、
前記秘密情報受信手段が前記秘密情報を受信した後、前記組み込んだ秘密情報を用いて、所定の端末装置、又は所定のサーバ装置から受信した、金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置。
【請求項３】
電子情報を記憶する記憶手段を接続する接続手段と、
電子情報を処理する情報処理手段と、
前記接続した記憶手段に、貨幣情報を記憶する貨幣情報記憶手段を生成する生成手段と、
所定の秘密情報を提供する提供サーバ装置に接続し、前記提供サーバ装置から前記秘密情報を受信する秘密情報受信手段と、
前記情報処理手段に貨幣情報処理を実行させるための貨幣情報処理プログラムと、前記受信した秘密情報を前記接続した記憶手段に組み込む組み込み手段と、
を具備し、
前記貨幣情報処理プログラムは、
前記秘密情報受信手段が前記秘密情報を受信した後、前記組み込んだ秘密情報を用いて、所定の端末装置、又は所定のサーバ装置から受信した、金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置。
【手続補正３】
【補正対象書類名】明細書
【補正対象項目名】００１３
【補正方法】変更
【補正の内容】
【００１３】
【課題を解決するための手段】
本発明は、前記目的を達成するために、請求項１に記載の発明では、電子情報を処理する情報処理手段と、電子情報を記憶する記憶手段と、前記記憶手段に、貨幣情報を記憶する貨幣情報記憶手段を生成する生成手段と、所定の秘密情報を提供する提供サーバ装置に接続し、前記提供サーバ装置から前記秘密情報を受信する秘密情報受信手段と、前記記憶手段に、前記情報処理手段に貨幣情報処理を実行させるための貨幣情報処理プログラムと、前記受信した秘密情報を組み込む組み込み手段と、を具備し、前記貨幣情報処理プログラムは、前記秘密情報受信手段が前記秘密情報を受信した後、前記組み込んだ秘密情報を用いて、所定の端末装置、又は所定のサーバ装置から受信した、金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置を提供する。
請求項２に記載の発明では、電子情報を処理する情報処理手段と、電子情報を記憶する記憶手段と、を備えた情報処理装置を接続する接続手段と、前記接続した情報処理装置の記憶手段に、貨幣情報を記憶する貨幣情報記憶手段を生成する生成手段と、所定の秘密情報を提供する提供サーバ装置に接続し、前記提供サーバ装置から前記秘密情報を受信する秘密情報受信手段と、前記情報処理手段に貨幣情報処理を実行させるための貨幣情報処理プログラムと、前記受信した秘密情報を、前記接続した情報処理装置の記憶手段に組み込む組み込み手段と、を具備し、前記貨幣情報処理プログラムは、前記秘密情報受信手段が前記秘密情報を受信した後、前記組み込んだ秘密情報を用いて、所定の端末装置、又は所定のサーバ装置から受信した、金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置を提供する。
請求項３に記載の発明では、電子情報を記憶する記憶手段を接続する接続手段と、電子情報を処理する情報処理手段と、前記接続した記憶手段に、貨幣情報を記憶する貨幣情報記憶手段を生成する生成手段と、所定の秘密情報を提供する提供サーバ装置に接続し、前記提供サーバ装置から前記秘密情報を受信する秘密情報受信手段と、前記情報処理手段に貨幣情報処理を実行させるための貨幣情報処理プログラムと、前記受信した秘密情報を前記接続した記憶手段に組み込む組み込み手段と、を具備し、前記貨幣情報処理プログラムは、前記秘密情報受信手段が前記秘密情報を受信した後、前記組み込んだ秘密情報を用いて、所定の端末装置、又は所定のサーバ装置から受信した、金額変更情報を受信する金額情報受信機能と、前記受信した金額変更情報を用いて、前記貨幣情報記憶手段に記憶した貨幣情報の金額を変更する貨幣情報処理機能と、を前記情報処理手段で実現するための貨幣情報処理プログラムであることを特徴とする携帯端末装置を提供する。
【手続補正４】
【補正対象書類名】明細書
【補正対象項目名】００２６
【補正方法】変更
【補正の内容】
【００２６】
ユーザは、キーボード２２のキーを押すことにより、所望のＷｅｂサイトのＵＲＬ（Ｕｎｉｆｏｒｍ  Ｒｅｓｏｕｒｃｅ  Ｌｏｃａｔｏｒｓ）を入力したり、画面に表示された入力欄に情報を入力したり、画面に表示された項目を選択したりなど、各種の入力操作を行うことができる。
この機能を用いて電子マネーサーバ２のサービスサイト（電子マネーに関するサービスを提供するためのＷｅｂサイト）のＵＲＬを入力したり、また、このサービスサイトが提供する画面上で、バリュー処理機能の組み込みを選択し、携帯電話７にバリュー処理機能を組み込むこともできる。
マイクロフォン２３は、音声を取得して電気信号に変換する装置である。ユーザは、マイクロフォン２３から音声を入力することができる。
【手続補正５】
【補正対象書類名】明細書
【補正対象項目名】００３０
【補正方法】変更
【補正の内容】
【００３０】
記憶部２９ａは、読み書き可能であり複数のプログラムやデータを記憶することができる。
携帯電話７がユーザに販売された時点では、記憶部２９ａには、ＩＣ機能部１２ａを動作させるための基本的なプログラムがインストールされている。
このような基本的なプログラムとしては、例えば、ファイルの入出力処理を行ったり、ＩＣ機能部１２ａを制御したりなどするＯＳ（Ｏｐｅｒａｔｉｎｇ  Ｓｙｓｔｅｍ）、ＩＣ機能部１２ａが非接触型ＩＣカード用の端末と無線通信するための通信プログラムなどがある。
【手続補正６】
【補正対象書類名】明細書
【補正対象項目名】００３２
【補正方法】変更
【補正の内容】
【００３２】
中央処理部２８ａにインストール用のプログラムを読み込ませてこれを実行させると、記憶部２９ａに各種の応用プログラムを組み込むことができる。インストール用のプログラムは、応用プログラム毎に用意されている。
中央処理部２８ａは、インストール用のプログラムを実行すると、まず、記憶部２９ａに、応用プログラムを組み込むための領域を確保する（インストールする応用プログラムが予めわかっている場合は、そのための領域を予め確保しておくこともできる）。
そして、確保した領域を応用プログラムのデータ形式に適合するようにフォーマットした後、その領域に応用プログラムを書き込む。
記憶部２９ａに応用プログラムを組み込んだ後は、これを中央処理部２８ａに読み込んで実行することができる。
本実施の形態では、記憶部２９ａにバリュー処理用の応用プログラム（以下、バリュー処理プログラム）をインストールして中央処理部２８ａにバリュー処理機能を実現させる。
【手続補正７】
【補正対象書類名】明細書
【補正対象項目名】００３３
【補正方法】変更
【補正の内容】
【００３３】
中継部２７は、電話機能部１０とＩＣ機能部１２ａが行う通信を中継する機能部（インターフェース）である。中継部２７は、電話機能部１０とＩＣ機能部１２ａとの通信を中継する際に、ＩＣ機能部１２ａが電話機能部１０に送信するデータを暗号化したり、あるいは、電話機能部１０がＩＣ機能部１２ａに送信する暗号化されたデータを復号化したりすることができる。
これは、電話機能部１０が電子マネーサーバ２と送受信するデータを復号暗号化することにより、セキュリティを高めるためである。
電子マネーサーバ２も、電話機能部１０から受信されたデータを復号化する手段と、携帯電話７に送出するデータを暗号化する手段を備えている。
【手続補正８】
【補正対象書類名】明細書
【補正対象項目名】００３７
【補正方法】変更
【補正の内容】
【００３７】
アプリケーション部２６は、電子マネーサーバ２がＩＣ機能部１２ａにバリュー処理プログラム（貨幣情報処理プログラム）をインストールする際にこれを補助する組み込み部２６ａ（組み込み手段、生成手段）を備えている。
組み込み部２６ａは、中央処理部２８ａ及び電子マネーサーバ２と通信しながら記憶部２９ａにバリュー処理プログラムをインストールする（組み込む）。
【手続補正９】
【補正対象書類名】明細書
【補正対象項目名】００３８
【補正方法】変更
【補正の内容】
【００３８】
より詳細には、組み込み部２６ａは電子マネーサーバ２と共同して動作し、中央処理部２８ａにバリュー処理プログラムをインストールするためのプログラムを送信する。そして、送信したプログラムを中央処理部２８ａに実行させて、これにより、記憶部２９ａにバリュー処理プログラムをインストールする。
インストールするためのプログラムは、インストール時に電子マネーサーバ２からダウンロードするように構成してもよいし、あるいは、予め組み込み部２６ａに備えておいてもよい。
【手続補正１０】
【補正対象書類名】明細書
【補正対象項目名】００８０
【補正方法】変更
【補正の内容】
【００８０】
組み込み登録部５７は、組み込み処理を組み込み部２６ａ（図３）と共同して行う。まず、組み込み登録部５７は、ＩＣチップＩＤを携帯電話７から受信してユーザ情報データベース５４に記憶する。このＩＣチップＩＤは、組み込み部２６ａがＩＣ機能部１２ａから読み出したものである。
そして、電子マネーＩＤを採番して携帯電話７に送信すると共に、これをユーザ情報データベース５４に記憶する。
また、組み込み登録部５７は、鍵情報やその他セキュリティを確保する上で必要な秘密情報を備えており、これら秘密情報やその他の必要なデータも携帯電話７に送信する。
【手続補正１１】
【補正対象書類名】明細書
【補正対象項目名】００９３
【補正方法】変更
【補正の内容】
【００９３】
取引情報データベース５５に格納されている取引情報を分析することにより、イシュアから集めた現金をバリューで決済した店舗に配分したり、また偽造電子マネーカードの監視をしたりなど、業務の遂行に利用できる情報を収集することができる他、ユーザが購入した商品も同時に記録しておくなどして、マーケットリサーチなどのデータマイニングを行うことができる。
なお、取引処理部５９は、必ずしもリアルタイムで情報処理をする必要はなく、電子マネー端末８で取引情報を蓄積しておき、これを後ほど受信して取引情報データベース５５を更新することができる。このため、電子マネー運用システム１では、店頭でチャージや決済する際に電子マネーサーバ２にアクセスする必要が無く、そのためこれらの処理を高速に行うことができる。
【手続補正１２】
【補正対象書類名】明細書
【補正対象項目名】００９９
【補正方法】変更
【補正の内容】
【００９９】
プログラム格納部８０には、電子マネーサーバ２を機能させるための基本的なプログラムであるＯＳや、サービスサイトを運営するためのサービスサイトプログラム、ユーザ登録やバリュー処理機能の組み込みを行うための登録プログラム、ユーザを認証するための認証プログラム、取引処理を行う取引処理プログラム、その他のプログラムが格納されている。
ＣＰＵ７５で、これらのプログラムを実行すると、それぞれサービスサイト部５６、組み込み登録部５７、認証部５８、取引処理部５９（図６）がソフトウェア的に構成される。
データ格納部８１には、ユーザ情報データベース５４、取引情報データベース５５、採番テーブル、イシュアマスタ、その他のデータベースが格納されている。
【手続補正１３】
【補正対象書類名】明細書
【補正対象項目名】０１１０
【補正方法】変更
【補正の内容】
【０１１０】
ＩＣチップ１１２上に構成されたＣＰＵ１３２、ＲＯＭ１３３、ＲＡＭ１３４、記憶部１３６、端末通信部１３１は、それぞれ、電子マネー機能部１２のＣＰＵ３２、ＲＯＭ３３、ＲＡＭ３４、記憶部３６、端末通信部３１と同等の機能を有している。
即ち、記憶部１３６には、バリュー処理プログラムが記憶されており、これをＣＰＵ１３２で実行することにより、バリュー処理部がソフトウェア的に構成される。また、記憶部１３６にはログデータ記憶部が形成されている。
このバリュー処理部の作用により、電子マネーカード１５を電子マネー端末８のリーダライタ部にセットし、バリューのチャージ、及びバリューによる決済処理を行うことができる。
【手続補正１４】
【補正対象書類名】明細書
【補正対象項目名】０１２５
【補正方法】変更
【補正の内容】
【０１２５】
携帯電話７は、この画面データを受信し、アプリケーション部２６がこれを用いてメインメニュー画面をディスプレイ２１に表示する。
ユーザは、メインメニュー画面で各種の項目を選択することができるが、ここでは、ユーザ登録を選択するものとする（ステップ５）。
これに対し、電子マネーサーバ２では、組み込み登録部５７が起動し、登録画面を表示するための画面データを携帯電話７に送信する（ステップ５５）。
【手続補正１５】
【補正対象書類名】明細書
【補正対象項目名】図面の簡単な説明
【補正方法】変更
【補正の内容】
【図面の簡単な説明】
【図１】
電子マネー運用システムの構成の一例を示した図である。
【図２】
携帯電話の外観の一例を示した図である。
【図３】
バリュー処理機能を組み込む前の携帯電話の機能を説明するための図である。
【図４】
バリュー処理機能を組み込んだ後の携帯電話の機能を説明するための図である。
【図５】
携帯電話のハードウェア的な構成の一例を説明するための図である。
【図６】
電子マネーサーバの機能的な構成の一例を説明するための図である。
【図７】
ユーザ情報の論理的な構成の一例を示した図である。
【図８】
取引情報の論理的な構成の一例を示した図である。
【図９】
電子マネーサーバのハードウェア的な構成の一例を示した図である。
【図１０】
電子マネーカードのハードウェア的な構成の一例を示した図である。
【図１１】
図１１（ａ）は、バリュー処理機能を組み込む場合の携帯電話の動作を説明するための図であり、図１１（ｂ）は、バリュー処理機能を組み込んだ後の携帯電話の動作を説明するための図である。
【図１２】
バリュー処理機能を組み込む際に携帯電話に表示される画面の一例を示した図である。
【図１３】
電子マネー端末から携帯電話にチャージする場合を説明するための図である。
【図１４】
バリュー処理機能の組み込み手順を説明するためのフローチャートである。
【手続補正１６】
【補正対象書類名】明細書
【補正対象項目名】符号の説明
【補正方法】変更
【補正の内容】
【符号の説明】
１  電子マネー運用システム
２  電子マネーサーバ
４  インターネット
５  基地局
６  電話回線網
７  携帯電話
８  電子マネー端末
８ａ  リーダライタ部
１０  電話機能部
１２  電子マネー機能部
１５  電子マネーカード
２６  アプリケーション部
２６ａ  組み込み部
２７  中継部
２８  バリュー処理部
２８ａ  中央処理部
２９  ログデータ記憶部
２９ａ  記憶部